(57)【特許請求の範囲】
【請求項１】
防水パンが上面部に載せられる防水パンの架台であって、上記の上面部が矩形の枠状に形成され、この上面部に、防水パンの下面の補強リブに対応させて、上下に貫通するネジ孔が複数形成され、またこの上面部の四隅に脚が形成され、この脚同士が、下弦部が弓形に形成されているアーチ形の補強部で連結され、この補強部と脚と上面部とが合成樹脂材で一体成型されていることを特徴とする防水パンの架台。
【請求項２】
請求項１記載の防水パンの架台であって、補強部が、斜めに格子が組まれて形成されていることを特徴とする防水パンの架台。
【請求項３】
請求項１記載の防水パンの架台であって、補強部が、板張り状に形成されていることを特徴とする防水パンの架台。
【請求項４】
請求項３記載の防水パンの架台であって、補強部が、窓状の開口部を備えて形成されていることを特徴とする防水パンの架台。
【請求項５】
請求項１乃至４の何れかに記載の防水パンの架台であって、脚が、高さ調節自在のアジャスターボルトを下端に備えて形成されていることを特徴とする防水パンの架台。
【発明の詳細な説明】
【０００１】
【発明の属する技術分野】
本発明は、防水パンの架台に関し、更に詳しくは防水パンとしての例えば浴槽載置パンや、洗い場形成用の床パンを支持するため、この種の防水パンの下側に配置して使用する架台に関するものである。
【０００２】
【従来の技術】
従来この種の架台は、例えば図７に示されるように、角パイプ状の鋼材が溶接されて門形の脚部ａが形成され、この脚部ａが連結部材ｂで接続され、台枠状等に形成されているのが通例であった。又従来、このような台枠状の架台に代え、図８に示されるように、コーン形の支持脚ｃが使用され、この支持脚ｃによって防水パンｄを支持することも行われている。
【０００３】
【発明が解決しようとする課題】
ところでこの種の架台は、浴室ユニットの主要な構成部品であるから、洗い場等の施工作業を簡単且つ楽にできるよう、剛性を低下させることなく、軽量に形成されているのが望ましい。
【０００４】
しかるに従来品は、剛性を得るため、上記の通り、角パイプ状の鋼材で形成されているのが通例であったから、従来品によると重量が重くなるのを避けられなかった。従って従来品を使用すると、例えば浴室内へ搬入する際や、施工作業の際に腕力が必要になり、作業者に肉体的な負担を強いる、という問題点があった。
【０００５】
又コーン形の支持脚は、防水パンをピンポイント的に支持するものである。それ故この従来品の場合は、入浴者の体重等を安定した状態で支持する必要から、使用個数が増えるのを避けられず、又防水パン自体の強度が高く要求され、防水パンを肉厚にする必要や、裏側の補強リブを増やす必要が生じた。その結果これによると、防水パンの重量が増加し、又使用個数が多い分、取付作業に手間暇がかかる、という問題点があった。
【０００６】
本発明は、このような従来の問題点に鑑み、提案されたものである。
従って本発明の技術的課題は、防水パンの肉厚や補強リブの増加を招くことなく、又剛性を低下させることなく、軽量化でき、施工作業を楽にできるよう形成した防水パンの架台を提供することにある。
【０００７】
【課題を解決するための手段】
本発明は、上記の課題を解決するために、次のような技術的手段を採る。
【０００８】
即ち本発明は、図１等に示されるように、防水パン１が上面部２に載せられる防水パン１の架台であって、上記の上面部２が矩形の枠状に形成され、この上面部２に、防水パン１の下面の補強リブ１ａに対応させて、上下に貫通するネジ孔２ａが複数形成され、またこの上面部２の四隅に脚４が形成され、この脚４同士が、下弦部６ｂが弓形に形成されているアーチ形の補強部６で連結され、この補強部６と脚４と上面部２とが合成樹脂材で一体成型されていることを特徴とする
（請求項１）。
【０００９】
ここで、脚４同士とは、隣り合う左右の脚４は勿論のこと、対角線位置の脚４も含まれる。又例えば対向する位置の脚４同士のように、必ずしも全ての脚４同士を意味するものではない。又アーチ形の補強部６とは、上方から加わる荷重を分散しバランス良く受ける形状に形成された補強箇所ということを意味する。なお本発明品の大きさは、浴室の洗い場や浴槽の設置箇所の大きさに合わせて形成されるので良い。又本発明品は、並列状に複数設置されて防水パン１を支持するのでも良い。
又本発明品は、合成樹脂材で形成されているため軽量化でき、又一体成型されているから、接合の手間暇がなく、剛性を向上できる、という利点がある。ここで、合成樹脂材としては、例えばポリプロピレンやポリエチレン、或いはＦＲＰ等の熱硬化性の合成樹脂材等がある。
【００１０】
又本発明の場合、補強部６は、斜めに格子６ａが組まれて形成されているのが好ましい（請求項２）。
【００１１】
なぜならこの場合は、少ない材料で効率良く補強でき、軽量化を一層図ることができるからである。この本発明の場合は、具体的にはラチス梁やトラス梁に形成することで達成される。
【００１２】
又本発明は、図５等に示されるように、補強部６が、板張り状に形成されているのでも良い（請求項３）。
【００１３】
なぜならこの場合も、軽量でありながら、剛性や耐荷重性を大きくできるからである。ここで、板張り状に形成されている、とは、補強部６が板片を張った状態に形成されている、ということを意味する。
【００１４】
この場合、補強部６は、窓状の開口部６ｃを備えて形成されているのが好ましい（請求項４）。
【００１５】
なぜならこれによると、補強部６を形成する合成樹脂材の使用材料を節減できるからである。なおこの本発明の場合、開口部６ｃの形状や個数は、強度を低下させない範囲で任意である。
【００１６】
又本発明は、脚４が、高さ調節自在のアジャスターボルト５を下端に備えて形成されているのが好ましい（請求項５）。
【００１７】
この場合は、アジャスターボルト５の締込み、緩め操作で高さを変更、調節でき、施工作業時の位置決めを簡単、迅速にできるからである。
【００１８】
【発明の実施の形態】
以下、本発明の好適な一実施形態を添付図面に従って説明する。
【００１９】
本発明の架台は、図１等に示されるように、防水パン１が上面部２に載せられるものであり、この実施形態では防水パン１としての洗い場パンの支持架台として実現されている。又この実施形態の場合は、図２に示されるように、本発明品が洗い場スペースに並列状に複数設置されている。
【００２０】
而して本発明の場合、上面部２は、例えば長方形等の矩形の枠状に形成されている。そしてこの上面部２には、防水パン１の下面の補強リブ１ａに対応させて、上下に貫通するネジ孔２ａが複数形成されている。本発明品は、このように防水パン１を上面部２にネジ孔２ａを介してネジ３で取り付けるよう形成されている。
【００２１】
又本発明品は、上面部２の四隅に、脚４が形成されている。この脚４は、高さ調節自在のアジャスターボルト５を、下端に備えて形成されている。又この実施形態の場合、隣り合う左右の脚４同士は、アーチ形の補強部６で連結されている。
【００２２】
上記の補強部６は、格子６ａが斜めに組まれてラチス梁に形成され、下弦部６ｂは弓形に形成されている。又上面部２と脚４と補強部６とは、この実施形態ではポリプロピレンで一体成型されている。
【００２３】
次に本発明品を用いて浴室の洗い場を施工する場合の一例を説明する。
【００２４】
先ず作業者は、防水パン１としての洗い場パンの面積を、例えば三等分させた大きさの本発明品を用意し、浴室の洗い場スペースに、図２に示されるように、長手方向の側部を当接させて並列状に配置する。この場合作業者は、アジャスターボルト５で高さ等を適宜調節する。
【００２５】
次に作業者は、図１に示されるように、防水パン１を上面部２に載せ、ネジ３で防水パン１を上面部２にネジ止めする。本発明品は、上記の通り、脚４同士がアーチ形の補強部６で連結されているから、入浴者の体重はこの補強部６によってバランス良く分散されて受け止められる。
なお本発明の場合は、補強部６がアーチ形であるため、床施工後の床下点検の際に、点検者はこの箇所を潜って作業することができる。従って本発明品によると、補強部６の箇所を、床下点検修理時の作業通路として利用できる、という利点がある。
【００２６】
以上の処において、上記の補強部６は、図３、図４に示されるように、格子６ａが三角形を基本にして傾斜状に組まれ、トラス梁（トラス構造）に形成されているのでも良い。図４は、補強部６をトラス梁に形成した本発明品を並列させて、防水パン１としての洗い場パンを支持している状態を示す。
【００２７】
又本発明の場合、補強部６はラチス梁やトラス梁に形成される場合には限られない。即ち本発明は、図５に示されるように、補強部６が板張り状に形成されているのでも良い。この場合、補強部６は、剛性を低下させない範囲で、窓状の開口部６ｃを備えて形成されるのが良い。この開口部６ｃの形状は、図５に示されるような円形のほか、方形（図６参照）等に形成されるのでも良い。又開口部６ｃの個数は、剛性を低下させない範囲で任意である。
【００２８】
【発明の効果】
以上説明したように本発明は、上面部を矩形の枠状に形成し、この上面部に、防水パンの下面の補強リブに対応させて、上下に貫通するネジ孔を複数形成し、またこの上面部の四隅に脚を形成し、この脚同士を、下弦部を弓形に形成したアーチ形の補強部で連結し、この補強部と脚と上面部とを合成樹脂材で一体成型しているものである。
【００２９】
従って本発明の場合は、アーチ形の補強部によって剛性を低下させることなく、目方を軽くできる。それ故本発明を使用すれば、防水パンの肉厚や補強リブの増加を招くことなく防水パンを支持でき、又浴室等への搬入や洗い場等の施工作業を楽にできる。
【図面の簡単な説明】
【図１】本発明の架台の好適な一実施形態を示す一部を切欠した要部斜視図である。
【図２】同上架台の設置時の一例を示す要部斜視図である。
【図３】補強部の他の実施形態を示す要部正面図である。
【図４】図３に係る本発明品の設置時の一例を示す側面図である。
【図５】補強部の更に他の実施形態を示し、Ａは要部正面図、ＢはＡのＢ―Ｂ線における要部断面図である。
【図６】開口部の他の実施形態を示す設置時の側面図である。
【図７】従来例を示し、Ａは設置時の斜視図、Ｂは防水パンを載せた状態の要部斜視図である。
【図８】従来例を示し、Ａは防水パンを載せた状態の要部斜視図、Ｂは支持脚の斜視図、Ｃはその要部断面図である。
【符号の説明】
１    防水パン
１ａ  補強リブ
２    上面部
２ａ  ネジ孔
３    ネジ
４    脚
５    アジャスターボルト
６    補強部
６ａ  格子
６ｂ  下弦部
６ｃ  開口部
【図１】
0003867618.tif 000002
【図２】
0003867618.tif 000003
【図３】
0003867618.tif 000004
【図４】
0003867618.tif 000005
【図５】
0003867618.tif 000006
【図６】
0003867618.tif 000007
【図７】
0003867618.tif 000008
【図８】
0003867618.tif 000009